(57)【特許請求の範囲】
【請求項１】
発光ダイオードを所定数束ねて収納し１つの画素用ドットを形成するクラスタが所定間隔に載置された複数個の桟を配設して構成された電光表示装置であって、前記桟の相互間の間隔及び前記クラスタの相互間の間隔を所定間隔に設定できる可変手段を備えていることを特徴とする電光表示装置。
【請求項２】
前記桟は、中央部と端部とに３分割され、前記中央部の両端側には前記各端部を回動自在に支持するとともに前記桟の相互間の間隔を所定間隔に設定し固定する支柱が配設されてなることを特徴とする請求項１に記載の電光表示装置。
【請求項３】
前記桟は、断面形状がコ字状をなし、前記コ字状断面の開口側に、前記クラスタが前記桟の軸方向に摺動自在に載置されてなることを特徴とする請求項１に記載の電光表示装置。
【請求項４】
桟の後方側に前記クラスタを点灯させるための点灯制御ユニットが形成されてなることを特徴とする請求項１乃至３に記載の電光表示装置。
【発明の詳細な説明】
【０００１】
【発明の属する技術分野】
本発明は複数の発光ダイオードをドットマトリックス状に多数配列させた電光表示装置に関するものである。
【０００２】
【従来の技術】
近年、店舗広告や交通機関又は公共施設の情報など幅広い分野において、発光ダイオード（以下、「ＬＥＤ」と記す）で表示する電光表示装置が利用されるようになってきた。特に、最近ではコンサートや各種イベントなどに一定期間だけ電光表示装置を設置するといった移設型の電光表示装置の用途が増加している傾向にある。
【０００３】
図６（ａ）は、従来の移設型電光表示装置の一例を示す概略斜視図である。図において、電光表示装置１は、筐体２に複数個の表示パネル３を縦横方向に配列させて構成され、筐体２は、組立、解体、搬送及び収納等が容易にできるサイズに細分化されている。
【０００４】
図６（ｂ）は、表示パネル３を構成するクラスタ４の要部斜視図を示す。図において、クラスタ４は、所定数のＬＥＤ５とこのＬＥＤを収納するケース６とからなり画素用ドットとして縦横方向に所定間隔に載置され、個々の表示パネルが形成されている。
【０００５】
【発明が解決しようとする課題】
しかしながら、上述した従来の電光表示装置の表示部では、クラスタを一定間隔に配置しているため表示部の表示サイズが固定されてしまい、特にコンサート会場や各種イベント会場は、その場所によっては会場の広さも様々で電光表示装置を設置するスペースも制約されてしまうため、表示する文字や図形の情報、映像等に合わせて表示パネルの数量を増減させなければならないというわずらわしい問題があった。
【０００６】
本発明は、かかる電光表示装置の表示部の表示サイズを表示パネルの数量を変えることなく可変でき、コンサートや各種イベントなどの用途に適応する電光表示装置を提供することを目的とする。
【０００７】
【課題を解決するための手段】
この課題を解決するために本発明の電光表示装置は、発光ダイオードを所定数束ねて収納し１つの画素用ドットを形成するクラスタが所定間隔に載置された複数個の桟を配設して構成された電光表示装置であって、前記桟の相互間の間隔及び前記クラスタの相互間の間隔を所定間隔に設定できる可変手段を備えている。この構成により、電光表示装置の表示パネルの数量を変えることなく表示部の表示サイズを可変させることができる。
【０００８】
また、前記桟は、中央部と端部とに３分割され、前記中央部の両端側には前記各端部を回動自在に支持するとともに前記桟の相互間の間隔を所定間隔に設定し固定する支柱が配設されている。この構成により、表示パネルを縦横方向に可変させることができる。
【０００９】
また、前記桟は、断面形状がコ字状をなし、前記コ字状断面の開口側に、前記クラスタが前記桟の軸方向に摺動自在に載置されている。この構成により、クラスタの相互間の間隔を所定間隔に可変させることができる。
【００１０】
また、前記電光表示装置の桟の後方側に、クラスタを点灯させるための点灯制御ユニットが形成されている。この構成により、表示パネルの寸法可変状況に関わらず保守・点検作業が容易になる。
【００１１】
【発明の実施の形態】
以下、本発明の実施の形態について、図面を参照しながら説明する。
【００１２】
図１は、本発明の一実施形態における電光表示装置を示す要部斜視図、図２は図１の裏面側から見た要部斜視図、図３は表示パネルの斜視図である。
【００１３】
図において、電光表示装置を構成する表示パネルは、画素用ドットを形成するクラスタ８が桟９に所定数載置され、この桟を所定数積層させて構成されている。桟９は、図１及び図２に示されるように断面がコ字状をなし、中央部の桟１０と、その両側の端部の桟１１とに３分割されており、コ字状の開口部１２にはクラスタ８が挿入され桟開口部内を軸方向（矢印Ａ方向）に摺動自在に載置されている。各クラスタ８には、各クラスタの相互間の間隔を略一定に保つために所定長さに設定されたワイヤ１３がワイヤ固定具１４により固定されている。
【００１４】
中央部の桟１０の両端側には、それぞれ端部の桟１１を回動可能に支持するブッシュ１５が配設されている。このブッシュ１５には、支柱１９が挿通されている。この支柱１９は、例えば円筒状をなし、上端部の透孔１６を有し、上端部近辺の側面には貫通孔１７が穿設され、下端部には外径が他の支柱１９の透孔１６に嵌合する寸法の外形を持つ接合部１８が形成されている。また、この支柱１９は、桟９が所定数載置されるために必要な長さＬ１に設定され、ブッシュ１５とともに中央部の桟１０に対して端部の桟１１を回動自在に支持している。
【００１５】
また、ブッシュ１５は、一方が中央部の桟１０に他方が端部の桟１１にそれぞれ固着され、回転軸１５１を中心軸として中央部の桟１０と端部の桟１１とが矢印Ｂで示されるように略直線状から略直角に回動自在に形成されている。中央部の桟１０の両端近辺には、各桟の相互間の間隔を略一定に保つために所定長さに設定されたワイヤ２０がワイヤ固定具２１により固定されている。
【００１６】
図２は、表示パネルを構成する桟９が積層されていく状況を示している。即ち、最初に、最下部の桟９１に固着されたブッシュ１５に、長さＬ１の支柱１９が挿通され、最下部の桟９１上に同様にして次の桟９２が積層される。このようにして順次桟９を積層させていき、所定数積層させ表示パネル７を完成させる。このとき、各桟９のワイヤ２０は、ワイヤ固定具２１により順次固定されていくことはいうまでもない。
【００１７】
図３は、本発明の電光表示装置の表示パネルの斜視図を示し、前述した手順により所定数積層されて組み立てられた表示パネル７の端部の桟１１を略直角に回動させた状態を示している。即ち、中央部の桟１０に全てのクラスタ８が集中するように配置され、その寸法Ｗは、中央部の桟１０の幅に略一致し、表示パネル７が最も縮小された時の横幅に略相当するように形成されている。同時に、桟９を所定数積層させた後の表示パネル７が最も縮小された時の高さ寸法Ｈは、支柱１９の長さＬ１とおおよそ同一寸法に形成されることになる。このときのワイヤ１３及び２０は、図１及び図２に示されるように、いずれもたるんだ状態となっている。次に、表示パネル７を拡大させるために、支柱１９の上方から補助支柱２２が挿入され固定される。この補助支柱２２は、外径が支柱１９と略同一寸法に形成され、一端側には外径が支柱１９の透孔１６の内径に嵌合する寸法に形成された接合部１８を備え、他端側には貫通孔１７が穿設されている。
【００１８】
図４は、本発明の電光表示装置の表示パネルの斜視図を示し、略直角に回動されていた両端部の桟１１を矢印Ｃ方向に回動させることにより桟９を略直線状にさせたのち矢印Ｄで示す左右方向にクラスタ８の間隔を拡大させ、各桟９を矢印Ｅで示す上下方向に伸ばして間隔を拡大させて、表示パネル７を最も拡大させた状態にさせたものである。
【００１９】
図５は、図４の詳細を示す。図において、表示パネルを構成する桟９は一対の支柱１９により支持されており、最上部の桟９ｎ側から各支柱１９の上部の透孔１６に表示パネル７を拡大させるために必要な寸法Ｌ２に形成された補助支柱２２が配設されている。この補助支柱２２は、外径が支柱１９と略同一寸法に形成され、一端側には外径が支柱１９の透孔１６の内径に嵌合する寸法に形成された接合部１８を備え、他端側には貫通孔１７が穿設されている。また、最上位の桟９ｎのブッシュ１５にはねじ穴２３が設けられておりこのねじ穴と補助支柱２２の貫通孔１７とは略一致する位置に設定されている。ねじ穴２３には固定ねじ２４がねじ込まれるが、この固定ねじの先端部２５は補助支柱２２の貫通孔１７に挿通し得る外径に形成されている。
【００２０】
図３で示された、縮小された状態にある表示パネルの最上部の桟９ｎを矢印Ｆ方向に引き上げると、桟９ｎはブッシュ１５により補助支柱２２に沿って上昇する。このとき、ワイヤ２０はたるんだ状態から伸ばされていくが、各ワイヤは各桟９にワイヤ固定具２１により固定されているからワイヤの所定長にまで伸びると、このワイヤによって次に最上部から２番目の桟９ｎ−１を矢印Ｆ方向に引き上げるようになる。このようにして順次桟９を引き上げていくことにより表示パネルは、図４の矢印Ｅ方向に示されるように拡大される。そして、最上部の桟９ｎのブッシュ１５に設けられたねじ穴２３と補助支柱２２の貫通孔１７とが一致した状態が表示パネルの拡大位置となり、この状態で固定ねじ２４をねじ込むことにより表示パネルが拡大された状態で固定される。
【００２１】
同様にして、端部の桟１１を広げると各桟の各クラスタ８間に固定されたワイヤ１３がたるんだ状態から伸ばされていくが、各ワイヤ１３は各クラスタ８にワイヤ固定具１４により固定されているからワイヤの所定長にまで伸びると、このワイヤによって各クラスタを左右に引っ張るようになる。このようにして順次クラスタ８を伸ばしていくことにより表示パネルは、図４の矢印Ｄ方向に示されるように拡大される。
【００２２】
また、表示パネル７の後方側にはクラスタ８を点灯させるための点灯回路等からなる点灯制御ユニット２６が隣接して配置されており、保守・点検作業が容易にできるように構成されている。
【００２３】
なお、上記の例では、各桟９と各クラスタ８との間隔を一定に保持する方法としてワイヤを用いたが、本発明はこのような構成に限定されない。例えば、別部品のスペーサを空間部に挿入するなどにより間隔を一定に保持してもよい。
【００２４】
【発明の効果】
この発明によれば、電光表示装置の表示部の数量を変えることなく表示サイズを伸縮させることができるばかりでなく、表示パネルを縮めた状態で搬入して現場で伸ばして組立ることができるため、コンサート会場や各種イベント会場など限られたスペースでの組立、解体、搬送及び収納が可能となる。
【図面の簡単な説明】
【図１】本発明の電光表示装置を示す要部斜視図
【図２】本発明の電光表示装置を裏面側から見た要部斜視図
【図３】本発明の電光表示装置の表示パネルの斜視図
【図４】本発明の電光表示装置を示す要部斜視図
【図５】本発明の電光表示装置を裏面側から見た要部斜視図
【図６】従来の電光表示装置を示す要部斜視図
【符号の説明】
８  クラスタ
９，９１，９２，９ｎ，９ｎ−１，１０，１１，１２  桟
１３，２０  ワイヤ
１４，２１  ワイヤ固定具
１５  ブッシュ
１６  透孔
１７  貫通孔
１８  接合部
１９  支柱
２２  補助支柱
２３  ねじ穴
２４  固定ねじ
２５  先端部
２６  点灯制御ユニット
【図１】
0003885539.tif 000002
【図２】
0003885539.tif 000003
【図３】
0003885539.tif 000004
【図４】
0003885539.tif 000005
【図５】
0003885539.tif 000006
【図６】
0003885539.tif 000007